(57)【要約】【課題】机等の上に置いたときに、持ち替えを行わなくてもよい状態に自動的に起き上がるハサミを、簡単な構造によって提供すること。【解決手段】一方の刃体部材１１の刃部１１ａとは反対側部分を、掌の中に入る程度の大きさと丸みを持たせた卵形の握り部１４とし、この握り部１４内に、当該ハサミ１０全体が起き上がれるようにすることのできる重量を有した錘１５を設けたこと。【選択図】図１
2007029637.tif 000002
【特許請求の範囲】
【請求項１】
先が刃部となっている一対の刃体部材を、１本の枢軸によって回動可能に連結することにより、前記各刃部がスリ合わせできるようにして、これら両刃部のスリ合わせによって物の切断が行えるようにしたハサミであって、
前記一方の刃体部材の前記刃部とは反対側部分を、掌の中に入る程度の大きさと丸みを持たせた半卵形の握り部とし、この握り部内に、当該ハサミ全体が起き上がれるようにすることのできる重量を有した錘を設けたことを特徴とする起き上がりハサミ。
【請求項２】
前記握り部を形成したのとは反対側の前記刃体部材について、その前記握り部に対向することになる部分に親指挿入筒部を形成したことを特徴とする請求項１に記載の起き上がりハサミ。
【発明の詳細な説明】
【技術分野】
【０００１】
本発明は、ハサミに関し、特に、机上等に置いたとき、再度取り上げようとするときに持ち易い状態に起き上がるようにしたハサミに関するものである。
【背景技術】
【０００２】
従来のハサミは、刃部を有する一対の刃体部材を一本の枢軸によって回動可能に連結し、両刃部のスリ合わせによって物を切断するものであるが、刃部の反対側に、例えば図５に示すような、通称「メガネ部」と呼ばれる指挿入部を形成しておいて、この指挿入部に指を入れて開閉操作を行うものである。
【０００３】
以上のような従来ハサミにおいては、上述したメガネ部や刃部は、これを一枚の金属板から打ち抜き加工して形成することが多いため、全体の概略形状は「平らなもの」となっており、机上等に置いても略平らなままのものとなっている。
【０００４】
このような従来のハサミは、これを使用しようとすれば、平らな状態で机上等に置かれていたものを言わば摘み上げ、そして各メガネ部に指を通して開閉操作が行えるような状態、つまり持ち替えなければならなかった。このような持ち替えは、健常者であれば何ら問題にはならなかったのであるが、指の動作にそれ程自由が効かない人の場合は結構大変な作業となっている。また、縫製作業におけるように、しょっちゅう被縫製物の位置合わせ等でハサミを机上に置かなければならず、またハサミの取り上げも行わなければならないような場合には、従来からある上述した形態のハサミでは作業効率が悪いものになっていたのである。
【０００５】
このため、本発明者は、持ち替えを行わなくてもよいハサミがないものかと、従来技術を種々調べたが、上記のような視点でハサミを開発しようとしているものが全く存在せず、自ら開発を行うことにしたのである。
【発明の開示】
【発明が解決しようとする課題】
【０００６】
そこで、本発明者等は、机等の上に置いたとき、持ち替えを行わなくてもよい状態に自動的になるハサミとするにはどうしたらよいか、について種々検討を重ねてきた結果、本発明を完成したのである。
【０００７】
すなわち、本発明の目的とするところは、机等の上に置いたときに、持ち替えを行わなくてもよい状態に自動的に起き上がるハサミを、簡単な構造によって提供することにある。
【課題を解決するための手段】
【０００８】
以上の課題を解決するために、まず、請求項１に係る発明の採った手段は、後述する最良の形態の説明中において使用する符号を付して説明すると、
「先が刃部１１ａ・１２ａとなっている一対の刃体部材１１・１２を、１本の枢軸１３によって回動可能に連結することにより、各刃部１１ａ・１２ａがスリ合わせできるようにして、これら両刃部１１ａ・１２ａのスリ合わせによって物の切断が行えるようにしたハサミ１０であって、
一方の刃体部材１１の刃部１１ａとは反対側部分を、掌の中に入る程度の大きさと丸みを持たせた卵形の握り部１４とし、この握り部１４内に、当該ハサミ１０全体が起き上がれるようにすることのできる重量を有した錘１５を設けたことを特徴とする起き上がりハサミ１０」
である。
【０００９】
すなわち、本発明に係る起き上がりハサミ１０は、基本的には、先が刃部１１ａ・１２ａとなっている一対の刃体部材１１・１２を、１本の枢軸１３によって回動可能に連結することにより、各刃部１１ａ・１２ａがスリ合わせできるようにしたものであり、従来のハサミと使い方に大きな差異がないものとして直ちに認識できるものとしてあって、誰でも使い方に間違いがないようにしたものである。
【００１０】
本発明の起き上がりハサミ１０において、従来のものと根本的に異なる点は、図１〜図５に示すように、一方の刃体部材１１の刃部１１ａとは反対側部分を、掌の中に入る程度の大きさと丸みを持たせた卵形の握り部１４とし、この握り部１４内に錘１５を設けたことである。勿論、この握り部１４は、第１刃体部材１１側ではなくて第２刃体部材１２側に設けるようにしてもよいが、第１刃体部材１１及び第２刃体部材１２の両方に設けるものではない。
【００１１】
この握り部１４は、図１〜図５に示すように、「半卵形」として、丸みを帯びた部分が図示下側になる、つまり置いたときに下面が机等の上面に接するようにしたものである。下面が丸みを帯びているから、当該起き上がりハサミ１０は、これを机上に置いたときグラグラするかもしれないが、直ぐに安定する。何故なら、当該握り部１４内には錘１５が入れてあるため、この錘１５の重量と握り部１４の半卵形形状によって、例えば図１に示すような状態に、直ちに安定するのである。
【００１２】
以上のように、錘１５が重量のあるものであること、及び握り部１４が半卵形であることによって、各刃部１１ａ・１２ａが机面に平行となるように（図１に示す状態に対して９０°寝かせた状態）して机上に当該起き上がりハサミ１０を置いたとしても、当該起き上がりハサミ１０は図１に示した状態に起き上がることになる。これは、錘１５を除いた起き上がりハサミ１０全体の重心より、錘１５自体の重心のほうが下側になっているからである。
【００１３】
以上のことからすると、当該起き上がりハサミ１０全体が起き上がれるようにするには、握り部１４及び錘１５を設けた側とは反対側の第２刃体部材１２については、図５に示すような、従来から使用されているメガネ部１７が設けてあってもよいものである。
【００１４】
このように、当該起き上がりハサミ１０は、常に図１に示したような状態に起き上がるのであるから、この起き上がりハサミ１０を使用するには、握り部１４を握るようにして当該起き上がりハサミ１０を取り上げるのである。この場合、通常は、この握り部１４は親指以外の指全体で握られることになり、親指は第２刃体部材１２側に掛かった状態になる。
【００１５】
そして、図１〜図４に示すような、握り部１４を設けていない第２刃体部材１２側に親指挿入筒部１６を設けた起き上がりハサミ１０にあっては、図２に示すように、浮いた状態にあった親指がこの親指挿入筒部１６内に自然に挿入されることになり、図５に示すようなメガネ部１７を有する起き上がりハサミ１０にあっては、このメガネ部１７内に親指が自然に挿入されることになるのであって、そのまま使用できる状態となる。つまり、当該起き上がりハサミ１０は、机上から持ち上げて使用するまでの間に、その持ち替えを行う必要はないものなのである。
【００１６】
この結果、親指挿入筒部１６またはメガネ部１７に挿入した親指を掌に対して動かすことにより、当該起き上がりハサミ１０はその各第１刃体部材１１及び第２刃体部材１２の開閉操作がなされることになり、各刃部１１ａ・１２ａのスリ合わせが行えて、物の切断が行えるのである。この起き上がりハサミ１０は、その使用後に机上にどのような状態で置こうとも、最終的には図１に示したような状態、つまり起き上がり状態となって安定することは、上述した通りである。
【００１７】
従って、この請求項１に係る起き上がりハサミ１０は、その机上等からの取り上げが簡単に行えるだけでなく、切断作業をするまでに持ち替えを行う必要がなく、また切断作業も親指の開閉操作によって行え、しかも使用後に机上に置いた時には自ら起き上がることができるものとなっているのである。
【００１８】
さて、上記課題を解決するために、請求項２に掛かる発明の採った手段は、上記請求項１の起き上がりハサミ１０について、
「握り部１４を形成したのとは反対側の刃体部材１２について、その握り部１４に対向することになる部分に親指挿入筒部１６を形成したこと」
である。
【００１９】
すなわち、この請求項２に係る起き上がりハサミ１０は、図１〜図４に示すように、握り部１４を形成したのとは反対側の刃体部材１２について、その握り部１４に対向することになる部分に親指挿入筒部１６を形成したものである。この親指挿入筒部１６については、図３にも示すように、その入り口を内端よりも大きくなるようにしてあり、これにより、右利きの人でも左利きの人でも親指の挿入が簡単に行えるようになっている。
【００２０】
このような親指挿入筒部１６が、握り部１４を形成したのとは反対側の刃体部材１２に形成してあれば、図２に示したように、握り部１４を握った手の親指が自然にこの親指挿入筒部１６内に入ることになる。つまり、この起き上がりハサミ１０は、その握り部１４を握って持ち上げたときには、親指が親指挿入筒部１６内にすんなりと入るから、持ち上げたときには持ち替えることなく使用のための準備が完了していることになるのである。
【００２１】
また、この親指挿入筒部１６を形成する外側の殻部分も、握り部１４と同様に「半卵形」形状にしてある。これにより、両刃部１１ａ・１２ａを閉じた当該起き上がりハサミ１０を持つ際に、この殻部分と握り部１４とが掌内にスッポリ入ってしまうから、非常に持ち易くなっているのである。
【００２２】
従って、この請求項２の起き上がりハサミ１０は、上述した請求項１のそれと同様な機能を発揮する他、切断操作のための親指掛けが簡単に行えるものとなっているのである。
【発明の効果】
【００２３】
以上、詳述した通り、請求項１の起き上がりハサミ１０は、
「先が刃部１１ａ・１２ａとなっている一対の刃体部材１１・１２を、１本の枢軸１３によって回動可能に連結することにより、各刃部１１ａ・１２ａがスリ合わせできるようにして、これら両刃部１１ａ・１２ａのスリ合わせによって物の切断が行えるようにしたハサミ１０であって、
一方の刃体部材１１の刃部１１ａとは反対側部分を、掌の中に入る程度の大きさと丸みを持たせた卵形の握り部１４とし、この握り部１４内に、当該ハサミ１０全体が起き上がれるようにすることのできる重量を有した錘１５を設けたこと」
にその構成上の特徴があり、これにより、机等の上に置いたときに、持ち替えを行わなくてもよい状態に自動的に起き上がるハサミ１０を、簡単な構造によって提供することができたのである。
【００２４】
また、請求項２の起き上がりハサミ１０においては、上記の他、
「握り部１４を形成したのとは反対側の刃体部材１２について、その握り部１４に対向することになる部分に親指挿入筒部１６を形成した」
から、机等の上に置いたときに、持ち替えを行わなくてもよい状態に自動的に起き上がるとともに、親指挿入筒部１６内への親指挿入を簡単に行える起き上がりハサミ１０を提供することができたのである。
【発明を実施するための最良の形態】
【００２５】
次に、以上のように構成した各請求項に係る発明を、図面に示した最良の形態である起き上がりハサミ１０について説明するが、この最良形態の起き上がりハサミ１０は、上記各請求項に係る発明の全てを実質的に含むものである。
【００２６】
図１には、本発明に係る起き上がりハサミ１０を机上に置いた状態が示してあるが、この起き上がりハサミ１０は、先が刃部１１ａ・１２ａとなっている一対の刃体部材１１・１２を、１本の枢軸１３によって回動可能に連結することにより、各刃部１１ａ・１２ａがスリ合わせできるようにして、これら両刃部１１ａ・１２ａのスリ合わせによって物の切断が行えるようにしたことを基本構成とするものである。
【００２７】
そして、この起き上がりハサミ１０は、図１及び図５に示したように、一方の刃体部材１１の刃部１１ａとは反対側部分を、掌の中に入る程度の大きさと丸みを持たせた卵形の握り部１４とし、この握り部１４内に、当該ハサミ１０全体が起き上がれるようにすることのできる重量を有した錘１５が設けてある。
【００２８】
本最良形態の起き上がりハサミ１０では、その握り部１４を合成樹脂によって一体成形して、この握り部１４の先端部分に第１刃体部材１１の後端部を接着剤等を利用しながら一体化するようにしている。この握り部１４は、図１〜図５に示したように、「半卵形」形状のものとしてあり、当該握り部１４の外面の全ての点において、机等の平面に対して点接触できるようにしてある。なお、後述する親指挿入筒部１６の殻についても、この握り部１４と同様に合成樹脂によって半卵形状のものとして形成して、この殻の握り部１４全体で略卵形になるようにしている。
【００２９】
勿論、この合成樹脂製の握り部１４内には、金属製の錘１５を予め設けておくものであり、後述する親指挿入筒部１６の殻部についても、握り部１４と同様な合成樹脂によって形成している。この錘１５自信の重量は、この錘１５を除いた起き上がりハサミ１０全体の重量よりも大きくなるようにしてあり、この錘１５の重心は、この錘１５を除いた起き上がりハサミ１０全体の重心よりも低い位置、つまり図１に示した起き上がりハサミ１０の低い位置になるようにしてある。なお、その他の、第１刃体部材１１やその刃部１１ａ、第２刃体部材１２とその刃部１２ａ、及び枢軸１３については、従来技術を採用して形成したものである。
【００３０】
親指挿入筒部１６は、図３及び図４に示したように、その入り口が奥よりも十分大きくなるようにしてあり、かつ、文字通りの「筒形状」のものとすることにより、この親指挿入筒部１６内に親指が簡単に挿入できるようにしているとともに、親指からの力が親指挿入筒部１６を介して起き上がりハサミ１０に効果的に掛かるようにしてある。
【００３１】
図５には、他の実施例が示してあるが、この起き上がりハサミ１０では、上述した親指挿入筒部１６に代えて、従来から使用されているメガネ部１７を採用したものである。このメガネ部１７にも、親指を挿入して、第１刃体部材１１及び刃部１１ａの開閉操作を行うものであるが、一方の第１刃体部材１１に錘１５を有する握り部１４を形成したことには変わりはない。
【００３２】
この図５に示した起き上がりハサミ１０では、従来からあるメガネ部１７をそのまま使用するのであるから、当該起き上がりハサミ１０の使用を間違えることがないだけでなく、従来設備を無駄にすることもないのである。
【産業上の利用可能性】
【００３３】
本発明に係る起き上がりハサミ１０は、使用しないために机上等に置いたとき、図１に示したような状態に自然に起き上がるものであり、しかもその握り部１４を握ってそのまま持ち上げれば使用状態になって持ち替える必要がないものであるから、例えば縫製工場の作業効率を向上させることができる可能性が十分ある。このことは、ハサミを使用するあらゆる場面で言えることである。
【図面の簡単な説明】
【００３４】
【図１】本発明の第１実施例に係る起き上がりハサミを机上に置いたときの側面図である。
【図２】同起き上がりハサミを手で持ったときの側面図である。
【図３】同平面図である。
【図４】同背面図である。
【図５】本発明の第２実施例に係る起き上がりハサミの側面図である。
【符号の説明】
【００３５】
１０    起き上がりハサミ
１１    第１刃体部材
１１ａ  刃部
１２    第２刃体部材
１２ａ  刃部
１３    枢軸
１４    握り部
１５    錘
１６    親指挿入筒部
１７    メガネ部
【図１】
2007029637.tif 000003
【図２】
2007029637.tif 000004
【図３】
2007029637.tif 000005
【図４】
2007029637.tif 000006
【図５】
2007029637.tif 000007